Podtech/llm-jp-corpus-v4-ja_patent huggingface dataset:
【誤訳訂正書】
【提出日】令和3年8月31日(2021.8.31)
【誤訳訂正１】
【訂正対象書類名】明細書
【訂正対象項目名】００２９
【訂正方法】変更
【訂正の内容】
【００２９】
実施例１：チモシンβ4を含む眼科用製剤の製造
工程1：チモシンβ4を含む眼科用製剤の製造
加圧可能なステンレス製攪拌槽に注射用滅菌水630gを入れ、5℃に冷却しながら、約120ml/分の速度で、溶液中に沈めたスパージャーを通して窒素ガスをバブリングして、溶液中に溶解した酸素を除去した。冷却した溶液に、塩化ナトリウム4.89g、塩化カリウム573mg、塩化カルシウム水和物366.72mg、塩化マグネシウム6水和物229mg、酢酸ナトリウム水和物2.98g、およびクエン酸ナトリウム水和物1.30gを加え、温度を3〜7℃に保ちながら攪拌溶解した。得られた溶液に、チモシンβ4アセテート(Bachem Inc.、米国、配列番号：1)764mg(純度およびペプチド補正量)を加え、3℃〜7℃で攪拌して完全に溶解させた。各成分とチモシンβ4を溶解させながら、チモシンβ4が酸素と接触するのを妨げるために窒素を連続的に供給した。得られた溶液に水酸化ナトリウムおよび塩酸を加えてpHを7.0に調節し、次いで、注射用滅菌水82gを加え、チモシンβ4の濃度を1mg/mlに調節した。得られた混合物を、0.2μmのポリエーテルスルホン(PES)滅菌フィルター(製品番号：MCY4440EKVPH4、Pall Corporation)を用いて窒素加圧下で滅菌ろ過して、ろ過溶液を得た。
【誤訳訂正２】
【訂正対象書類名】特許請求の範囲
【訂正対象項目名】全文
【訂正方法】変更
【訂正の内容】
【特許請求の範囲】
【請求項１】
チモシンβ4を含む眼科用製剤の製造方法であって、チモシンβ4を含む組成物を、不活性ガスの存在下で容器に充填し、密封する工程を含み、ここで、
前記チモシンβ4を含む組成物が不活性ガスの存在下で溶媒および賦形剤とチモシンβ4を混合することによって製造されるものであり、前記賦形剤は、前記溶媒712gにつき4.89gの塩化ナトリウム、573mgの塩化カリウム、366.72mgの塩化カルシウム水和物、229mgの塩化マグネシウム六水和物、2.98gの酢酸ナトリウム水和物、および1.30gのクエン酸ナトリウム水和物を含んでなり、
前記チモシンβ4を含む組成物のpHが6.8〜7.0であり、
前記チモシンβ4を含む組成物が、25℃、相対湿度40%で12ヶ月間貯蔵後に91.98%以上の純度を維持する、
チモシンβ4を含む眼科用製剤の製造方法。
【請求項２】
不活性ガスが、窒素またはアルゴンである、請求項１に記載の方法。
【請求項３】
チモシンβ4を含む組成物中のチモシンβ4の量が、0.05% (w/v)〜0.5% (w/v)の範囲にある、請求項１に記載の方法。
【請求項４】
容器が、ガラス容器、ポリプロピレン容器、および低密度ポリエチレン容器からなる群から選択される、請求項１に記載の方法。
【請求項５】
チモシンβ4を含む組成物のpHが、塩酸、酢酸およびリン酸からなる群から選択される酸を用いることによって調節される、請求項１に記載の方法。
【請求項６】
チモシンβ4を含む組成物のpHが、水酸化ナトリウム、水酸化カリウムおよび炭酸水素ナトリウムからなる群から選択される塩基を用いることによって調節される、請求項１に記載の方法。
【請求項７】
チモシンβ4を含む組成物が、フィルターを用いるろ過の工程を通して得られる、請求項１に記載の方法。
【請求項８】
チモシンβ4を含む組成物を含む密封容器を、不活性ガスの存在下、パウチに供給するステップをさらに含む、請求項１に記載の方法。
【誤訳訂正書】
【提出日】令和2年12月11日(2020.12.11)
【誤訳訂正１】
【訂正対象書類名】特許請求の範囲
【訂正対象項目名】全文
【訂正方法】変更
【訂正の内容】
【特許請求の範囲】
【請求項１】
内側ライナーを切断して内側パッケージ（３０）の開口部（５４）を形成することであって、前記内側ライナーが、外部表面（３３）および内部表面を含む、形成することと、
インサート（６０）を前記内側ライナーの前記外部表面上に最初に取り付けることと、
再密封可能なラベル（４５）を、前記開口部を形成する切断部を覆うように、前記インサートの部分と前記内側ライナーの前記外部表面の部分の両方にわたって、その後に取り付けることであって、前記再密封可能なラベルが、内部表面（５３）および外部表面（５１）をもち、前記再密封可能なラベルの内部表面が、密封領域（４６）および非密封領域（４７）を含み、前記再密封可能なラベルの内部表面の前記非密封領域のみが、前記インサート上に配置される、取り付けることと、
消費財を前記内側ライナーで包装して、消費財の束を形成することと、
容器（１０）を前記消費財の束の周りに形成することであって、前記インサートが、前記内側ライナーと前記容器との間に位置付けられ、前記容器が、ボックス（１４）および前記ボックスにヒンジ止めされるリッド（２０）を備える、形成することと、を含む方法。
【請求項２】
インサートを前記内側ライナーの前記外部表面上に取り付ける工程が、接着剤の塗布を含む、請求項１に記載の方法。
【請求項３】
インサートを前記内側ライナーの前記外部表面上に取り付ける工程が、マイクロ吸引特徴の利用を含む、請求項１に記載の方法。
【請求項４】
前記マイクロ吸引特徴が前記内側ライナー上にある、請求項３に記載の方法。
【請求項５】
前記マイクロ吸引特徴が前記インサート上にある、請求項３に記載の方法。
【請求項６】
前記インサートが、前記内側ライナーの前部壁（３２）の前記外部表面に取り付けられる、請求項１に記載の方法。
【請求項７】
前記開口部が切断される前に前記内側ライナーにエンボス加工することをさらに含む、請求項１に記載の方法。
【請求項８】
前記再密封可能なラベルの前記外部表面を前記リッドの内部表面（２２）に取り付けることをさらに含む、請求項１に記載の方法。
【請求項９】
前記束が前記内側ライナーを用いて形成される前に、内側フレームを前記消費財の周りに形成することをさらに含む、請求項１に記載の方法。
【誤訳訂正２】
【訂正対象書類名】明細書
【訂正対象項目名】０００２
【訂正方法】変更
【訂正の内容】
【０００２】
コミュニケーション（情報伝達）の手段としてインサートを使用することが、産業分野において一般的である。
【誤訳訂正３】
【訂正対象書類名】明細書
【訂正対象項目名】０００９
【訂正方法】変更
【訂正の内容】
【０００９】
本発明の様々な態様は、現時点で入手可能であるかまたはこれまでに説明されている容器および方法に対して１つ以上の利点を提供しうる。例えば、本容器は、本発明の時点までは組み合わせることができなかった、自動的に再密封可能な特徴をインサートの使用と組み合わせる。さらに、インサートが少なくとも部分的にラベルの下側にあることを許容することにより、インサートのための追加的な空間が、部分的重複のないインサートと比較して利用できるようになる。このことは特に、自動的に再密封可能なパックに関して重要であり、ここにおいて、ラベルの下部端は、リッドの内側に取り付けられる。このことは、ラベルの外側にインサートを配置することを抑制し、他の点では、ラベルとリッドの接続を妨げるであろう。有利には、追加的な空間は、インサートへのアクセスを容易にするために用いられうる。さらに、追加的なコミュニケーション手段の空間が利用できる。さらに、本容器は、２つの特徴の組み合わせを可能とするが、内側の特徴の自動的閉じ込めの適切な機能性を損失しない。さらに、本明細書で開示される方法は、標準的な密封包装プロセス装置およびほとんどまたは全く変更されないプロセスを用いて行われ、それにより、製造の複雑さまたは費用が増大せず、インサートをもつ機能的に再密封可能な容器を提供することができる。
【誤訳訂正４】
【訂正対象書類名】明細書
【訂正対象項目名】００２９
【訂正方法】変更
【訂正の内容】
【００２９】
上述したように、有利には、追加的な空間は、インサートへのアクセスを容易にするために用いられうる。さらに、追加的なコミュニケーション手段の空間が利用できる。再密封可能なラベルは、消費財に個別にアクセスするために内側パッケージを繰り返し開閉できるようにする。再密封可能なラベルは、少なくとも内側パッケージ内の消費財の個数と同じ回数だけフラップを再び取り付けるための十分な接着を提供することが好ましい。再密封可能なラベルは、パッケージが空になるまで、消費者が内側パッケージを開封および再密封できるようにすることが好ましい。
【誤訳訂正５】
【訂正対象書類名】明細書
【訂正対象項目名】００３２
【訂正方法】変更
【訂正の内容】
【００３２】
容器はまたインサートを備える。インサートはコミュニケーション（情報伝達）のために利用されうる。インサートは、任意の適切な材料を含むことができ、またはそれらから作られうる。例えば、インサートは厚紙、板紙、紙、プラスチック、金属、またはそれらの組み合わせを含むことができる。インサートの上に、例えば、任意の公知の印刷技法を使用して印刷することができる。インサートは、利用できるコミュニケーション手段の空間を増加するために折り曲げることができる。インサートを、長手方向、または横断方向、または長手方向と横断方向との両方に折り曲げることができる。インサートの少なくとも１つの寸法（全体であってもまたは折り曲げたものであっても）、例えば、インサートの高さは、ボックスの前部壁の高さより小さくすることができることが好ましい。インサートの長さは、前部壁の長さの最も長い長手方向の長さとアクセス領域の面積における前部壁の長さとの間であることが好ましい。そのような構成により、インサートの最大長さの使用が可能となる。インサートのその他の寸法（全体であってもまたは折り曲げたものであっても）、例えば、インサートの幅は、ボックスの前部の幅より小さくすることができることが好ましい。インサートを、１回、２回、またはそれより多い回数折り曲げる能力のために、インサートの全体的な表面積をボックスの前部壁より大きくすることができる。
【誤訳訂正６】
【訂正対象書類名】明細書
【訂正対象項目名】００３９
【訂正方法】変更
【訂正の内容】
【００３９】
いくつかの例示的方法はまた、内側ライナーを打ち出す工程（エンボス加工）を含みうる。この工程は、内側ライナーを切断する前に、後に、またはその両方において達成されうる。内側ライナーを打ち出す工程は、消費財の周りに内側パッケージを形成するのに利用される折り目線を提供するために利用されうる。打ち出すことはまた、再密封可能なラベルの開ける力および閉じる力を改善しうる、または制御しうるパターンを形成するように設計されてもよい。そのような工程が行われる場合、内側ライナーを打ち出すために、任意の適切な技法または技法の組み合わせが利用されうる。
【誤訳訂正書】
【提出日】令和3年2月26日(2021.2.26)
【誤訳訂正１】
【訂正対象書類名】明細書
【訂正対象項目名】００６１
【訂正方法】変更
【訂正の内容】
【００６１】
本発明の第二態様によれば、本発明は、上記方法の1つに従って得られる表面改質、特にコーティングを含むマイクロ構造コンポーネントにも関する。
本発明のこの態様のさらなる詳細については、本発明の方法に関する上記説明を参照することができ、本発明のマイクロ構造コンポーネントに該説明を準用する。
本発明の第三態様によれば、本発明は、少なくとも1つの入口開口部、少なくとも1つの出口開口部及びマイクロ構造によって形成されている内側表面を含み、この内側表面が、少なくとも部分的に改質、特にコーティングされている、マイクロ流体システムのマイクロ構造コンポーネント、特にノズルシステムにも関する。
本発明のマイクロ構造コンポーネントは、好ましくはSMI型吸入器に用いられるノズル体である。特に好ましくは、本発明のコンポーネントは、DJIノズルである。
【誤訳訂正書】
【提出日】令和3年10月5日(2021.10.5)
【誤訳訂正１】
【訂正対象書類名】特許請求の範囲
【訂正対象項目名】全文
【訂正方法】変更
【訂正の内容】
【特許請求の範囲】
【請求項１】
保存料組成物であって、
・樹皮由来のオーク抽出物、
・グレープ・シード抽出物、
・緑茶抽出物、から選択される、少なくとも２つの抽出物を活性成分として含み、
但し、前記少なくとも２つの抽出物が、グレープ・シード抽出物ならびに緑茶抽出物である際、該組成物は、オーク抽出物をも含み、
前記グレープ・シード抽出物は、９５％ｗ／ｗと等しいあるいは、それより高い、全プロアントシアニジンの含有量（フォリン法により算出、カテキン類として表される）、ならびに、ＨＰＬＣ法により評価された、５〜１５％ｗ／ｗの範囲の、モノマーの含有量（カテキンとして表される、カテキンとエピカテキンの合計に基づく）により、特徴付けられる
ことを特徴とする、保存料組成物。
【請求項２】
グレープ・シード抽出物または緑茶抽出物と組み合わせて、オーク抽出物を、あるいは
緑茶抽出物およびオーク抽出物と組み合わせて、グレープ・シード抽出物を含む
ことを特徴とする、請求項１に記載の保存料組成物。
【請求項３】
前記オーク抽出物は、６５％ｗ／ｗと等しいあるいは、それより高い、全ポリフェノール含有量により、特徴付けられる
ことを特徴とする、請求項１または２に記載の保存料組成物。
【請求項４】
該緑茶抽出物は、４５％ｗ／ｗと等しいあるいは、それより高い、ポリフェノール含有量（フォリン法により算出、カテキン類として表される）、ならびに、ＨＰＬＣ法により評価された、１５％ｗ／ｗと等しいあるいは、それより高い、カテキン含有量（エピカテキン−３−Ｏ−ガラートとして表される）により、特徴付けられる
ことを特徴とする、請求項１〜３のいずれか一項に記載の保存料組成物。
【請求項５】
前記オーク抽出物は、１〜１０００ｍｇ／ｋｇの範囲の含有量である
ことを特徴とする、請求項１〜４のいずれか一項に記載の保存料組成物。
【請求項６】
前記オーク抽出物は、１０〜２００ｍｇ／ｋｇの範囲の含有量である
ことを特徴とする、請求項５に記載の保存料組成物。
【請求項７】
前記オーク抽出物は、５０ｍｇ／ｋｇの含有量である
ことを特徴とする、請求項６に記載の保存料組成物。
【請求項８】
前記グレープ・シード抽出物は、１〜１０００ｍｇ／ｋｇの範囲の含有量である
ことを特徴とする、請求項１〜７のいずれか一項に記載の保存料組成物。
【請求項９】
前記グレープ・シード抽出物は、１０〜２００ｍｇ／ｋｇの範囲の含有量である
ことを特徴とする、請求項８に記載の保存料組成物。
【請求項１０】
前記グレープ・シード抽出物は、５０ｍｇ／ｋｇの含有量である
ことを特徴とする、請求項９に記載の保存料組成物。
【請求項１１】
前記緑茶抽出物は、１〜１０００ｍｇ／ｋｇの範囲の含有量である
ことを特徴とする、請求項１〜１０のいずれか一項に記載の保存料組成物。
【請求項１２】
前記緑茶抽出物は、１０〜２００ｍｇ／ｋｇの範囲の含有量である
ことを特徴とする、請求項１１に記載の保存料組成物。
【請求項１３】
前記緑茶抽出物は、５０ｍｇ／ｋｇの含有量である
ことを特徴とする、請求項１２に記載の保存料組成物。
【請求項１４】
許容される添加物および／または担体をも含有している
ことを特徴とする、請求項１〜１３のいずれか一項に記載の保存料組成物。
【請求項１５】
・樹皮由来のオーク抽出物、
・グレープ・シード抽出物、
・緑茶抽出物、から選択される、少なくとも２つの抽出物を活性成分として含み、
但し、前記少なくとも２つの抽出物が、グレープ・シード抽出物ならびに緑茶抽出物である際、該組成物は、オーク抽出物をも含み、
前記グレープ・シード抽出物は、９５％ｗ／ｗと等しいあるいは、それより高い、全プロアントシアニジンの含有量（フォリン法により算出、カテキン類として表される）、ならびに、ＨＰＬＣ法により評価された、５〜１５％ｗ／ｗの範囲の、モノマーの含有量（カテキンとして表される、カテキンとエピカテキンの合計に基づく）により、特徴付けられる保存料組成物の、脂質過酸化反応を受け易い食品の保存のための使用。
【請求項１６】
該組成物は、
グレープ・シード抽出物と組み合わせて、オーク抽出物を、
緑茶抽出物と組み合わせて、オーク抽出物を、あるいは
緑茶抽出物と組み合わせて、グレープ・シード抽出物を含む
ことを特徴とする、請求項１５に記載の使用。
【請求項１７】
前記食品は、肉系食品である
ことを特徴とする、請求項１５または１６に記載の使用。
【請求項１８】
前記肉系食品は、ミンスミート、サラミ及びにソーセージ等の塩漬肉、ハムならびに缶詰め肉である
ことを特徴とする、請求項１７に記載の使用。
【請求項１９】
前記食品は、甘いおよび味のよい焼き物類、ならびにジャム類である
ことを特徴とする、請求項１５または１６に記載の使用。
【誤訳訂正２】
【訂正対象書類名】明細書
【訂正対象項目名】００１９
【訂正方法】変更
【訂正の内容】
【００１９】
前記グレープ・シード（ＧＳ）抽出物は、好ましくは、９５％ｗ／ｗと等しいあるいは、それより高い、全プロアントシアニジン類の含有量（フォリン法により算出、カテキン類として表される）、ならびに、ＨＰＬＣ法により評価された、５〜１５％ｗ／ｗの範囲の、モノマーの含有量（カテキンとして表される、カテキンとエピカテキンの合計に基づく）により、特徴付けられる、抽出物であり、そして、より好ましくは、乾燥抽出物である。
【誤訳訂正３】
【訂正対象書類名】明細書
【訂正対象項目名】００２１
【訂正方法】変更
【訂正の内容】
【００２１】
緑茶（ＧＴ）抽出物は、好ましくは、４５％ｗ／ｗと等しいあるいは、それより高い、ポリフェノール含有量（フォリン法により算出、カテキン類として表される）、ならびに、ＨＰＬＣ法により評価された、１５％ｗ／ｗと等しいあるいは、それより高い、カテキン含有量（エピカテキン−３−Ｏ−ガラートとして表される）により、特徴付けられる、抽出物であり、そして、より好ましくは、乾燥抽出物である。
【誤訳訂正書】
【提出日】令和3年6月22日(2021.6.22)
【誤訳訂正１】
【訂正対象書類名】明細書
【訂正対象項目名】００１２
【訂正方法】変更
【訂正の内容】
【００１２】
一態様によれば、システムの動作方法が提供される。このシステムは、データ通信のための第１の通信プロトコルを備えた携帯型消費者電子装置を備えている。このシステムはさらに、医療データを検知するためのセンサ装置、および、薬剤を供給するための薬剤供給装置のうちの少なくとも１つを有し、データ通信のための第２の通信プロトコルを備えた医療用装置を備えている。携帯型消費者電子装置とのデータ通信のための第１の通信プロトコル、および、医療用装置とのデータ通信のための第２の通信プロトコルを備えた中間装置がある。また、このシステムでは、中間装置には制御モジュールが設けられている。制御モジュールにおいて、この方法は、制御モジュールに設けられた受信機能によって、携帯型消費者電子装置から、医療用装置の重要な動作機能を制御するように構成された重要制御データを受信することを含んでいる。この方法はさらに、制御モジュールに設けられた確認機能によって、重要制御データが確認できるかどうかを判定することを含む。重要制御データが確認された場合、この方法は、制御モジュールに設けられた送信機能によって、医療用装置に重要制御データを送信すること、および、重要制御データに従って医療用装置を動作させることを含む。重要制御データは、センサ装置をキャリブレーションすること、センサ装置を再キャリブレーションすること、および薬剤供給装置によって薬剤を供給することの群から選択される、医療用装置の重要な動作機能のうちの少なくとも１つを制御するように構成される。パススルーデータ通信において、中間装置によって重要制御データとは異なるパススルーデータが送信され、当該パススルーデータ通信は少なくとも確認プロセスがない。
【誤訳訂正２】
【訂正対象書類名】明細書
【訂正対象項目名】００１３
【訂正方法】変更
【訂正の内容】
【００１３】
別の態様によれば、医療用装置、携帯型消費者電子装置、中間装置、および中間装置に設けられた制御モジュールを含むシステムが提供される。医療用装置は、医療データを検知するためのセンサ装置、および、薬剤を供給するための薬剤供給装置のうちの少なくとも１つを有している。携帯型消費者電子装置は、データ通信のための第１の通信プロトコルを備えている。医療用装置は、データ通信のための第２の通信プロトコルを備えている。中間装置は、携帯型消費者電子装置とのデータ通信のための第１の通信プロトコル、および、医療用装置とのデータ通信のための第２の通信プロトコルを備えている。制御モジュールは、携帯型消費者電子装置から、医療用装置の動作を制御するように構成された制御データを受信するための受信機能、制御モジュールに設けられた確認機能によって、制御データが確認できるかどうかを判定するための確認機能、および、制御データが確認された場合、制御モジュールに設けられた送信機能によって、医療用装置に制御データを送信するための送信機能を有している。制御データが確認された場合、この方法は、制御モジュールに設けられた送信機能によって、医療用装置に制御データを送信すること、および、制御データに従って医療用装置を動作させることを含む。制御データは、センサ装置をキャリブレーションすること、センサ装置を再キャリブレーションすること、および薬剤供給装置によって薬剤を供給することの群から選択される、医療用装置の重要な動作機能のうちの少なくとも１つを制御するように構成される重要制御データを含む。中間装置は、重要制御データとは異なるパススルーデータのためのパススルーデータ通信用に構成され、当該パススルーデータ通信は少なくとも確認プロセスがない。
【誤訳訂正３】
【訂正対象書類名】明細書
【訂正対象項目名】００２１
【訂正方法】変更
【訂正の内容】
【００２１】
薬剤の供給は、薬剤供給装置によって、薬剤供給を開始すること、薬剤供給を中断すること、および、薬剤の供給を停止することのうちの少なくとも１つを含み得る。中間装置において、医療用装置の重要な動作機能を定義する電子情報が提供され得る。たとえば、重要な動作機能のリストが、中間装置のメモリ装置に格納され得る。確認機能によって処理される確認プロセスの過程で、携帯型消費者電子装置から受信した制御データが、中間装置の重要な動作機能の少なくとも１つに関するかどうかが判定され得る。受信した制御データが医療用装置の重要な動作機能に関しないと判定された場合、そのような制御データは確認なしに医療用装置に渡されてもよい。このような場合、パススルーデータ送信が提供されてもよい。それ以外の場合は、受信した重要制御データが確認プロセスを受ける必要がある。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
１つ以上の免疫タンパク質を産生するための方法であって、前記方法は：
（ａ）１つ以上のポリマー前駆体を含む培地を含む、培地チャンバを提供する工程と；
（ｂ）前記１つ以上のポリマー前駆体から形成されたポリマーを含む、三次元（３Ｄ）オルガノイドの少なくとも一部を形成するべく、コンピュータメモリにおける３Ｄオルガノイドを印刷するコンピュータ命令に従って、３Ｄ投影へとパターン化される少なくとも１つのエネルギービーム経路に沿って前記培地チャンバ内の培地へと、少なくとも１つのエネルギービームを向ける工程と；
（ｃ）前記１つ以上の免疫タンパク質の産生を刺激するのに十分な条件に、前記３Ｄオルガノイドの前記少なくとも一部を晒す工程を含む、
方法。
【請求項２】
（ｃ）において、前記条件は、前記１つ以上の免疫タンパク質の産生を刺激するために、前記３Ｄオルガノイドの前記少なくとも一部を、抗原に晒すことを含む、請求項１に記載の方法。
【請求項３】
前記培地チャンバはさらに複数の細胞を含み、前記３Ｄオルガノイドの前記少なくとも一部はさらに前記複数の細胞の少なくとも１つの部分集合を含む、請求項１に記載の方法。
【請求項４】
前記免疫タンパク質は、抗体、Ｔ細胞受容体、および癌免疫療法剤からなる群から選択される、請求項１に記載の方法。
【請求項５】
前記複数の細胞は被験体からのものである、請求項３に記載の方法。
【請求項６】
前記複数の細胞は、間質性内皮細胞、内皮細胞、濾胞細網細胞あるいはその前駆体、ナイーブＢ細胞あるいは他の未成熟Ｂ細胞、記憶Ｂ細胞、血漿Ｂ細胞、ヘルパーＴ細胞およびその部分集合、エフェクターＴ細胞およびその部分集合、ＣＤ８＋Ｔ細胞、ＣＤ４＋Ｔ細胞、制御性Ｔ細胞、ナチュラルキラーＴ細胞、ナイーブＴ細胞あるいは他の未成熟Ｔ細胞、樹状細胞およびその部分集合、濾胞樹状細胞、ランゲルハンス樹状細胞、皮膚由来樹状細胞、樹状細胞前駆体、単球由来樹状細胞、単球およびその部分集合、マクロファージおよびその部分集合、ならびに白血球およびその部分集合からなる群から選択される、請求項３に記載の方法。
【請求項７】
前記３Ｄオルガノイドは、Ｂ細胞胚中心、胸腺様発達ニッチ、リンパ節、ランゲルハンス島、毛包、腫瘍、腫瘍スフェロイド、神経束あるいは支持細胞、ネフロン、肝臓オルガノイド、腸陰窩、一次リンパ器官、および二次リンパ器官からなる群から選択される、請求項１に記載の方法。
【請求項８】
前記３Ｄオルガノイドの形状は、球状、楕円形、卵形、卵状、正方形、長方形、立方形、任意の多角形形状、自由形態、および、涙滴形状からなる群から選択される、請求項１に記載の方法。
【請求項９】
前記３Ｄオルガノイドの前記少なくとも一部の前記ポリマーはネットワークを形成する、請求項１に記載の方法。
【請求項１０】
前記ネットワークは、細網状、アモルファス、またはネットである、請求項９に記載の方法。
【請求項１１】
アモルファスネットワークは、細胞間相互作用を促進するように設計される、請求項１０に記載の方法。
【請求項１２】
前記アモルファスネットワークは、細胞のニッチ間の、または、細胞のニッチ内での移動を促すように設計される、請求項１０に記載の方法。
【請求項１３】
１つ以上の免疫タンパク質を産生するためのシステムであって、前記システムは：
（ａ）１つ以上のポリマー前駆体を含む培地を含むように構成された培地チャンバ；
（ｂ）前記培地チャンバに少なくとも１つのエネルギービームを向けるように構成された少なくとも１つのエネルギー源；および、
（ｃ）前記少なくとも１つのエネルギー源に動作可能に接続された１つ以上のコンピュータプロセッサを含み、前記１つ以上のコンピュータプロセッサは、
（ｉ）コンピュータメモリから三次元（３Ｄ）オルガノイドを印刷するためのコンピュータ命令を受け取り；
（ｉｉ）前記３Ｄオルガノイドの少なくとも一部を形成するべく前記ポリマー前駆体の少なくとも一部を晒すために、前記コンピュータ命令に従って、少なくとも１つのエネルギービーム経路に沿って前記培地チャンバ中の前記培地へ少なくとも１つのエネルギービームを向けるように前記少なくとも１つのエネルギー源を向け；および、
（ｉｉｉ）前記１つ以上の免疫タンパク質の産生を刺激するのに十分な条件に、前記３Ｄオルガノイドの前記少なくとも一部を晒すように、個々にあるいはまとめてプログラムされる、システム。
【請求項１４】
前記１つ以上の免疫タンパク質の産生を刺激するのに十分な条件は、前記１つ以上の免疫タンパク質の産生を刺激するために、前記３Ｄオルガノイドの前記少なくとも一部を、抗原に晒すことを含む、請求項１３に記載のシステム。
【請求項１５】
前記培地チャンバは複数の細胞をさらに含有するように構成され、前記３Ｄオルガノイドの前記少なくとも一部は前記細胞の少なくとも一部を含む、請求項１３に記載のシステム。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
特定のオリゴヌクレオチド型のオリゴヌクレオチドを含む組成物であって、前記特定のオリゴヌクレオチド型が以下の特徴：
（ａ）共通の塩基配列を有する；
（ｂ）骨格結合の共通パターンを有する；
（ｃ）骨格キラル中心の共通パターンを有する、
を有し、
前記オリゴヌクレオチドは、Ｓｐ立体配置において、結合リンを有する少なくとも１つのヌクレオチド間結合を含み、
前記組成物は、前記特定のヌクレオチド型のオリゴヌクレオチドに関して、同一の共通塩基配列を有するオリゴヌクレオチドの実質的なラセミ調製物と比較して、前記組成物が富化されるという点において、キラル制御され、かつ
前記オリゴヌクレオチドは、ＰＮＰＬＡ３を標的とする、
組成物。
【請求項２】
複数のオリゴヌクレオチドを含む組成物であって、前記複数のオリゴヌクレオチドが以下の特徴：
（１）共通の塩基配列を有する；
（２）１つ以上（例えば、約１〜５０、１〜４０、１〜３０、１〜２５、１〜２０、１〜１５、１〜１０、５〜５０、５〜４０、５〜３０、５〜２５、５〜２０、５〜１５、５〜１０、１、２、３、４、５、６、７、８、９、10、１１、１２、１３、１４、１５、１６、１７、１８、１９、２０、２１、２２、２３、２４、または２５個以上）のキラルヌクレオチド間結合（以下、「キラル制御されたヌクレオチド間結合」という。）で独立して、同一の結合リンの立体化学を有する；
を共有し、
前記共通の塩基配列を共有する前記組成物中の全てのオリゴヌクレオチドのうち、約１〜１００％（例えば、約５％〜１００％、１０％〜１００％、２０％〜１００％、３０％〜１００％、４０％〜１００％、５０％〜１００％、６０％〜１００％、７０％〜１００％、８０〜１００％、９０〜１００％、９５〜１００％、５０％〜９０％、または約５％、１０％、２０％、３０％、４０％、５０％、６０％、７０％、８０％、８５％、９０％、９１％、９２％、９３％、９４％、９５％、９６％、９７％、９８％、９９％、または１００％、または少なくとも５％、１０％、２０％、３０％、４０％、５０％、６０％、７０％、８０％、８５％、９０％、９１％、９２％、９３％、９４％、９５％、９６％、９７％、９８％、または９９％）が、前記複数のオリゴヌクレオチドであり、かつ
前記共通の塩基配列が、ＰＮＰＬＡ３の塩基配列の一部と相補的であり、前記一部が１５以上の核酸塩基を含む、
組成物。
【請求項３】
前記複数のオリゴヌクレオチドは５以上のキラルのヌクレオチド間結合において、独立して、同一の結合リンの立体化学を共有し、かつ前記共通の塩基配列を共有する前記組成物中の全てのオリゴヌクレオチドのうち、約５０％〜１００％が、前記複数のオリゴヌクレオチドである、請求項２に記載の組成物。
【請求項４】
前記複数のオリゴヌクレオチドは、各々のホスホロチオエートのヌクレオチド間結合において、独立して、同一の結合リンの立体化学を共有する、請求項２に記載の組成物。
【請求項５】
前記複数のオリゴヌクレオチドは、同一の構成を有する、請求項２に記載の組成物。
【請求項６】
前記組成物は液体の組成物である、請求項４に記載の組成物。
【請求項７】
前記複数のオリゴヌクレオチドは、標的部位のＲＣＤを独立して備える、請求項２に記載の組成物。
【請求項８】
前記ＲＣＤは、以下式で示される、請求項７に記載の組成物。
【化１】
2020524485.tif 000001
【請求項９】
前記ＲＣＤは、前記オリゴヌクレオチドまたはリンカーを介して前記オリゴヌクレオチドと結合する、請求項７に記載の組成物。
【請求項１０】
前記リンカーは、以下の構造を有する、請求項９に記載の組成物。
【化２】
2020524485.tif 000002
2020524485.tif 000003
【請求項１１】
前記ＲＣＤは、以下の構造を有する、請求項７に記載の組成物。
【化３】
2020524485.tif 000004
2020524485.tif 000005
【請求項１２】
ヒトにおける、脂肪肝、非アルコール性脂肪性肝疾患、非アルコール性脂肪性肝炎、肝線維症を伴う非アルコール性脂肪性肝炎、肝硬変を伴う非アルコール性脂肪性肝炎、または肝硬変および肝細胞癌を伴う非アルコール性脂肪性肝炎を治療するための組成物の製造における使用であって、前記組成物は、治療有効量の請求項２に記載の組成物を含有する、使用。
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
1種又は複数種の長鎖多価不飽和脂肪酸(LCPUFA)と少なくとも1種の親水コロイドとを含むカプセル化油脂組成物であって、
約5%未満の表面遊離脂肪含有率を有し、及び、
前記親水コロイドが、組成物中の水の量に対して約0.05%から約1%w/wの間の濃度で存在する、
カプセル化油脂組成物。
【請求項２】
エマルション又は粉末の形態である、請求項1に記載の組成物。
【請求項３】
エマルションが水中油型エマルションである、請求項2に記載の組成物。
【請求項４】
油脂組成物が少なくとも5〜55%のリン脂質を含む、請求項1から3のいずれか一項に記載の組成物。
【請求項５】
油がオキアミ油又は魚油を含む、請求項1から4のいずれか一項に記載の組成物。
【請求項６】
少なくとも1種の親水コロイドが食用ガムを含む、請求項1から5のいずれか一項に記載の組成物。
【請求項７】
食用ガムがキサンタンガムである、請求項6に記載の組成物。
【請求項８】
1種若しくは複数種のLCPUFA、又は1種若しくは複数種のLCPUFAを含む油脂組成物が、オクテニルコハク酸無水物化工でん粉及び2種以上の還元糖源でカプセル化されている、請求項1から7のいずれか一項に記載の組成物。
【請求項９】
前記還元糖源の1種が20と60の間のデキストロース当量(DE)値を有し、第2の前記還元糖源が約0と20の間のDE値を有する、請求項8に記載の組成物。
【請求項１０】
1種又は複数種のLCPUFAを含む組成物のカプセル化の効率を増大させるための方法であって、少なくとも1種の親水コロイドを前記組成物に組み込む工程を含み、
前記親水コロイドが、組成物中の水の量に対して約0.05%から約1%w/wの間の濃度で存在する、
方法。
【請求項１１】
組成物が1種又は複数種のLCPUFAを含む油脂組成物である、請求項10に記載の方法。
【請求項１２】
カプセル化の効率が、少なくとも1種の親水コロイドの非存在下における表面遊離脂肪含有率と比較した、カプセル化組成物の表面遊離脂肪含有率によって決定及び/又は定量化される、請求項10又は11に記載の方法。
【請求項１３】
少なくとも1種の親水コロイドの存在下における組成物の表面遊離脂肪含有率が、約5%未満、又は約2%未満である、請求項12に記載の方法。
【請求項１４】
カプセル材が、オクテニルコハク酸無水物化工でん粉及び2種以上の還元糖源を含む、請求項10から13のいずれか一項に記載の方法。
【請求項１５】
少なくとも1種の親水コロイドが食用ガムを含む、請求項10から14のいずれか一項に記載の方法。
【請求項１６】
1種又は複数種のLCPUFAを含むエマルションを安定化するための方法であって、少なくとも1種の親水コロイドを前記エマルションに組み込む工程を含み、
前記親水コロイドが、エマルション中の水の量に対して約0.05%から約1%w/wの間の濃度で存在する、
方法。
【請求項１７】
エマルションが1種又は複数種のLCPUFAを含む油脂組成物を含む、請求項16に記載の方法。
【請求項１８】
少なくとも1種の親水コロイドの存在下におけるエマルションの表面遊離脂肪含有率が、約5%未満、又は約2%未満である、請求項16又は17に記載の方法。
【請求項１９】
1種若しくは複数種のLCPUFA、又は1種若しくは複数種のLCPUFAを含む油脂組成物が、オクテニルコハク酸無水物化工でん粉及び2種以上の還元糖源でカプセル化されている、請求項16から18のいずれか一項に記載の方法。
【請求項２０】
少なくとも1種の親水コロイドが食用ガムを含む、請求項16から19のいずれか一項に記載の方法。
【請求項２１】
1種又は複数種のLCPUFAと少なくとも1種の親水コロイドとを含む、安定なエマルションであって、
前記親水コロイドが、エマルション中の水の量に対して約0.05%から約1%w/wの間の濃度で存在する、
安定なエマルション。
【請求項２２】
水中油型エマルションである、請求項21に記載の安定なエマルション。
【請求項２３】
少なくとも1種の親水コロイドが食用ガムを含む、請求項21又は22に記載の安定なエマルション。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
方法であって、
個々のリードフレームを有するリードフレームストリップを封止することであって、前記リードフレームストリップが前記個々のリードフレームに取り付けられるＩＣダイを含み、少なくとも２つの隣接する個々のリードフレームがコンタクト要素を共有する、前記封止することと、
コンタクト側壁表面を形成するために、前記コンタクト要素に隣接する前記封止されたリードフレームストリップにトレンチを部分的にソーイングすることと、
前記トレンチの一部に事前錫めっき材料を堆積することと、
前記コンタクト側壁表面を前記事前錫めっき材料で覆うために、前記事前錫めっき材料をリフローすることと、
前記封止されたリードフレームストリップを個々のＩＣパッケージに分離することであって、前記個々のＩＣパッケージの各々が前記コンタクト側壁表面を有し、前記事前錫めっき材料が前記コンタクト側壁表面上に保護層を形成する、前記分離することと、
を含む、方法。
【請求項２】
請求項１に記載の方法であって、
前記事前錫めっき材料が銀ナノ粒子を含む、方法。
【請求項３】
請求項１に記載の方法であって、
前記事前錫めっき材料がはんだである、方法。
【請求項４】
請求項１に記載の方法であって、
前記事前錫めっき材料がインクジェットプリンタを用いて堆積される、方法。
【請求項５】
請求項１に記載の方法であって、
前記封止されたフレームストリップを個々のＩＣパッケージに分離することが、前記トレンチより薄い切り口を生成する、方法。
【請求項６】
請求項１に記載の方法であって、
前記封止されたリードフレームストリップを個々のＩＣパッケージに分離する前に、前記トレンチの全ての残りの非充填部分を背面充填することを更に含む、方法。
【請求項７】
方法であって、
個々のリードフレームを有するリードフレームストリップを封止することであって、前記リードフレームストリップが前記個々のリードフレームに取り付けられる集積回路（ＩＣ）ダイを含み、少なくとも２つの隣接する個々のリードフレームがコンタクト要素を共有する、前記封止することと、
コンタクト側壁表面を形成するために前記コンタクト要素に隣接して前記封止されたリードフレームストリップにトレンチを部分的にソーイングすることと、
前記トレンチの一部に事前錫めっき材料を堆積することと、
前記コンタクト側壁表面を前記事前錫めっき材料で覆うために前記事前錫めっき材料をリフローすることであって、前記事前錫めっき材料が前記コンタクト側壁表面上に保護層を形成する、前記リフローすることと、
前記トレンチの全ての残りの部分を充填材料で充填することと、
前記封止されたリドフレームストリップを個々のＩＣパッケージに分離することであって、前記個々のＩＣパッケージの各々が前記コンタクト側壁表面を有する、前記分離することと、
を含む、方法。
【請求項８】
請求項７に記載の方法であって、
前記充填材料がエポシキ化合物である、方法。
【請求項９】
請求項８に記載の方法であって、
前記エポキシ化合物がモールド化合物である、方法。
【請求項１０】
方法であって、
個々のリードフレームを有するリードフレームストリップを封止することであって、前記リードフレームストリップが前記個々のリードフレームに取り付けられる集積回路（ＩＣ）ダイを含み、少なくとも２つの隣接する個々のリードフレームがコンタクト要素を共有する、前記封止することと、
コンタクト側壁表面を形成するために前記コンタクト要素に隣接する前記封止されたリードフレームストリップ内にトレンチを部分的にソーイングすることと、
前記トレンチ内に事前錫めっき材料を堆積することと、
前記コンタクト側壁表面を前記事前錫めっき材料で覆うために前記事前錫めっき材料をリフローすることであって、前記事前錫めっき材料が前記コンタクト側壁表面上に保護層を形成し、前記リフローすることの後に前記トレンチの少なくとも一部に空いた部分を残す、前記リフローすることと、
前記封止されたリードフレームストリップを個々のＩＣパッケージに分離することであって、前記ＩＣパッケージの各々が前記コンタクト側壁表面を有する、前記分離することと、
を含む、方法。
【請求項１１】
請求項１０に記載の方法であって、
前記事前錫めっき材料が銀ナノ粒子を含む、方法。
【請求項１２】
請求項１０に記載の方法であって、前記事前錫めっき材料がはんだである、方法。
【請求項１３】
請求項１０に記載の方法であって、
前記事前錫めっき材料がインクジェットプリンタを用いて堆積される、方法。
【請求項１４】
請求項１０に記載の方法であって、
前記封止されたリードフレームストリップを個々のＩＣパッケージに分離することが、前記トレンチよりも薄い切り口を生成する、方法。
【請求項１５】
請求項１０に記載の方法であって、
前記封止されたリードフレームストリップを個々のＩＣパッケージに分離することの前に前記トレンチを裏面充填することを更に含む、方法。
【請求項１６】
請求項１５に記載の方法であって、
前記充填材料がエポキシ化合物である、方法。
【請求項１７】
請求項１６に記載の方法であって、
前記エポキシ化合物がモールド化合物である、方法。
【請求項１８】
自動外観検査（ＡＶＩ）を実施する方法であって、
基板上のパッドに集積回路（ＩＣ）パッケージをはんだ付けすることであって、前記ＩＣパッケージがコンタクトを有し、前記コンタクトの各々が下側表面と側壁表面とを有し、前記コンタクトの各々の側壁表面の実質的な部分が銀ナノ粒子を含む材料の保護層で覆われる、前記はんだ付けすることと、
前記ＩＣパッケージ上のコンタクトと前記基板上のパッドとの間のはんだ接合のはんだプロファイルを視覚的に検査することと、
前記はんだプロファイルが前記コンタクトの側壁表面の実質的な部分を覆うフィレットを含まないときに前記はんだ接合を不合格とすることと、
を含む、方法。
【請求項１９】
請求項１８に記載の方法であって、
前記はんだプロファイルが前記コンタクトの側壁表面の実質的な部分を覆うフィレットを含むときに前記はんだ接合を合格とすることを更に含む、方法。
【請求項２０】
請求項１８に記載の方法であって、
前記コンタクトの側壁表面の実質的な部分が前記コンタクトの側壁表面の少なくとも９０％を含む、方法。
【請求項２１】
請求項１９に記載の方法であって、
前記コンタクトの側壁表面の実質的な部分が前記コンタクトの側壁表面の少なくとも９０％を含む、方法。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
複数のマルクス発生器であって、前記複数のマルクス発生器が並列に接続されている、複数のマルクス発生器と、
共通インターフェースであって、前記共通インターフェースは、前記複数のマルクス発生器の各マルクス発生器から１つ以上の制御信号を送受信するように構成される、共通インターフェースと、
変圧器であって、前記変圧器は、前記複数のマルクス発生器のうちの第１のマルクス発生器から第１の出力信号を受信するための第１の巻線と、並列に接続された前記複数のマルクス発生器のうちの第２のマルクス発生器から第２の出力信号を受信するための第２の巻線と、を備える、変圧器と、
を備える、パルスを生成するための電子デバイス。 
【請求項２】
前記複数のマルクス発生器の各マルクス発生器は電流を出力するように構成され、前記変圧器は各マルクス発生器によって出力される前記電流を実質的に等しくするように構成される、請求項１に記載のデバイス。
【請求項３】
前記変圧器は、複数の一次巻線であって、前記複数の一次巻線の各一次巻線は、前記複数のマルクス発生器のうちの１つのマルクス発生器に関連付けられる、複数の一次巻線と、二次巻線と、を含み、各一次巻線は前記複数のマルクス発生器によって生成された複数の信号のうちの１つを受信し、及び前記二次巻線は受信した前記複数の信号に基づいて出力パルスを送信する、請求項１に記載のデバイス。
【請求項４】
前記複数のマルクス発生器の各マルクス発生器は１つ以上のスイッチを含み、前記１つ以上のスイッチのうちの各スイッチは２０００ボルト未満の陽極ピーク電圧定格を有する、請求項１に記載のデバイス。
【請求項５】
各スイッチは、５００アンペアの陽極ピーク電流比を有する、請求項４に記載のデバイス。
【請求項６】
各スイッチは、１マイクロ秒以下のターンオン時間を有する、請求項４に記載のデバイス。
【請求項７】
前記共通インターフェースは、出力パルスの１つ以上の仕様に関してユーザからコマンドを受信するように構成され、前記受信した仕様に基づいて、各マルクス発生器の１つ以上の設定を調整するように構成される、請求項１に記載のデバイス。
【請求項８】
前記共通インターフェースは、前記複数のマルクス発生器の各マルクス発生器の過電流状態を検出するように構成される、請求項１に記載のデバイス。
【請求項９】
前記共通インターフェースは、前記複数のマルクス発生器の各マルクス発生器に発生している１つ以上の電弧放電を検出するように構成される、請求項１に記載のデバイス。
【請求項１０】
複数のドループ補償ユニットをさらに備え、各ドループ補償ユニットは、前記複数のマルクス発生器のうちの１つに関連付けられ、各ドループ補償ユニットは出力パルスの平坦性を維持するように構成される、請求項１に記載のデバイス。
【請求項１１】
複数のマルクス発生器であって、前記複数のマルクス発生器が並列に接続されている、複数のマルクス発生器と、
共通インターフェースであって、前記共通インターフェースは、前記複数のマルクス発生器の各マルクス発生器から１つ以上の制御信号を送受信するように構成される、共通インターフェースと、
変圧器であって、前記変圧器は、前記複数のマルクス発生器に接続され、前記複数のマルクス発生器から複数の信号を受信し受信した前記複数の信号に基づいて出力パルスを生成するように構成され、前記変圧器は、並列に接続された前記複数のマルクス発生器のうちの第１のマルクス発生器から前記複数の信号の第１の信号を受信するための第１の巻線を備え、並列に接続された前記複数のマルクス発生器のうちの第２のマルクス発生器から第２の出力信号を受信するための第２の巻線を備え、前記複数のマルクス発生器から受信された前記複数の信号はそれぞれ、５００アンペアを超える出力電流及び２０００ボルトを超える出力電圧を有する、変圧器と、
を備える、パルスを生成するための電子デバイス。
【請求項１２】
並列な前記複数のマルクス発生器は、前記変圧器の一次巻線上で電気的に絶縁され、磁気的に結合されている、請求項１に記載のデバイス。
【請求項１３】
前記変圧器の一次巻線上で前記複数のマルクス発生器により生成される磁気信号は、巻線比によって前記変圧器の二次巻線上で出力信号へと加算及び変換される、請求項１に記載のデバイス。
【請求項１４】
前記複数のマルクス発生器の各マルクス発生器にそれぞれ関連付けられる複数のドループ補償ユニットであって、前記複数のドループ補償ユニットのそれぞれが、主マルクス放電ステージに並列及び直列なダイオード及びコンデンサの構成を通して、ドループ補償を得る、複数のドループ補償ユニットをさらに備える、請求項１に記載のデバイス。
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
電気デバイスの割り当てられた任務を実行するための少なくとも１つの動作素子と、
前記動作素子に電力を供給するための及び／又は関連する電池を再充電するための、ナノカーボン含有電極、イオン性液体電解質及びイオン透過性メンブレンから成るスーパーキャパシタと、
外部電源により前記スーパーキャパシタを再充電するための充電回路と、
前記動作素子の動作を制御するための制御回路と、
前記スーパーキャパシタ及び／又は前記動作素子の性能に特有の１つ又は複数のパラメータをモニタするための、並びに対応する状態情報を生成するためのモニタ回路と、
前記状態情報を含んでいる第１の信号を遠隔受信地へ送信するための送信機と、
前記制御ユニット及び任意選択で前記動作素子により遂行される命令を含んでいる前記遠隔受信地からの第２の信号を受信するための受信機と、
を備えることにより特徴づけられる、電気デバイス。
【請求項２】
モニタされる前記１つ又は複数のパラメータが、前記スーパーキャパシタの充電状態、前記スーパーキャパシタの電気抵抗及び／又はキャパシタンス、前記スーパーキャパシタの充電及び放電サイクルの計数値、及び、前記電気デバイスの場所、のうちの１又は複数を含むことを特徴とする、請求項１に記載の電気デバイス。
【請求項３】
前記電気デバイスが電動工具であり、モニタされる前記１つ又は複数のパラメータが、前記動作素子の摩耗特性を含むことを特徴とする、請求項１又は２に記載の電気デバイス。
【請求項４】
前記送信機及び受信機が、電話回線、無線、マイクロ波、ブルートゥース又はＷｉ−Ｆｉにより接続されることを特徴とする、請求項１〜３のいずれか一項に記載の電気デバイス。
【請求項５】
前記デバイスの前記電気部品を収容するための強固なシェルをさらに備える、及び／又は、前記外部電源に接続された対応するドッキング場所とドッキングするように構成された強固なシェルをさらに備える、ことを特徴とする、請求項１〜４のいずれか一項に記載の電気デバイス。
【請求項６】
前記スーパーキャパシタからトリクル充電を受けるように構成されたリチウム−イオン電池をさらに備えることにより特徴づけられる、請求項１〜５のいずれか一項に記載の電気デバイス。
【請求項７】
ナノカーボン含有炭素電極が、伝導性高分子マトリクスに埋め込まれた、グラフェン、カーボンナノチューブ又はこれらの混合物から選択されるナノカーボン含有成分を含む、及び／又は、前記ナノカーボン含有炭素電極が、多結晶構造及び１〜５００ｍ２ｇ−１の範囲の表面積を有している非グラファイト状炭素を含むことを特徴とする、請求項１〜６のいずれか１項に記載の電気デバイス。
【請求項８】
前記イオン性液体が、１−エチル−３−メチルイミダゾリウム（ＥＭＩＭ）、１−ブチル−３−メチルイミダゾリウム（ＢＭＩＭ）、１−メチル−１−プロピルピロリジニウム、１−メチル−１−ブチルピロリジニウム）のうちの１つ又は複数のカチオン、及び、テトラフルオロホウ酸塩、ＦＳＩ又はＴＦＳＩのうちの１つ又は複数のアニオンを含むことを特徴とする、請求項１〜７のいずれか一項に記載の電気デバイス。
【請求項９】
Ｗｉ−Ｆｉ又はブルートゥースにより前記遠隔地における共通受信／送信局にリンクされることにより特徴づけられる、請求項１〜８のいずれか一項に記載の電気デバイスのネットワーク。
【請求項１０】
照明システム、警報システム、有害物質用の検出システム又は産業用制御システムを備えることにより特徴づけられる、請求項９に記載のネットワーク。